(57)【特許請求の範囲】
【請求項１】
紙幣を集積する紙幣集積部と、前記紙幣集積部内に集積された集積紙幣を収納する紙幣収納ボックスと、前記紙幣集積部と前記紙幣収納ボックスとの間に位置し、前記紙幣集積部の底部を開閉するシャッタ手段と、前記シャッタ手段によって、前記紙幣集積部の底部が開かれたときに、前記紙幣集積部に集積された集積紙幣を前記紙幣収納ボックスの底部に向けて、押圧可能な紙幣押圧手段とを有する紙幣収納装置を備えた紙幣処理機であって、前記紙幣収納装置の前記紙幣収納ボックスの互いに対向する内壁に、互いに対をなし、それぞれ、可撓性を有するシートによって構成された少なくとも１つの紙幣支持部材を備えた一対の紙幣支持手段が、上下方向に少なくとも二段に設けられ、前記紙幣支持手段が、前記紙幣押圧手段によって前記紙幣収納ボックスの底部に向けて、押圧される集積紙幣を支持するように構成されたことを特徴とする紙幣処理機。
【請求項２】
前記少なくとも二段の紙幣支持手段の間隔が、前記上段に位置する一対の紙幣支持手段が前記集積紙幣から離間し、前記集積紙幣が、前記下段に位置する一対の紙幣支持手段上に自由落下したときに、前記集積紙幣の集積状態が乱されるおそれがない距離以下に設定されていることを特徴とする請求項１に記載の紙幣処理機。
【請求項３】
前記少なくとも二段の紙幣支持手段の間隔が、前記上段に位置する一対の紙幣支持手段に含まれる前記紙幣支持部材の長さと略同一に設定されていることを特徴とする請求項１または２に記載の紙幣処理機。
【請求項４】
前記少なくとも二段の紙幣支持手段のうち、前記紙幣収納ボックス内に収納されるべき集積紙幣のうち、最上部に位置すべき紙幣の直上方に位置する前記一対の紙幣支持手段が、それぞれ、第一の長さを有する少なくとも１つの紙幣支持部材および前記第一の長さよりも長い第二の長さを有する少なくとも１つの紙幣支持部材を備えていることを特徴とする請求項１ないし３のいずれか１項に記載の紙幣処理機。
【請求項５】
前記一対の紙幣支持部材が、前記紙幣収納ボックスの内壁に、少なくとも三段、設けられていることを特徴とする請求項１ないし４のいずれか１項に記載の紙幣処理機。
【請求項６】
横方向に、少なくとも２列の前記一対の紙幣支持手段が設けられていることを特徴とする請求項１ないし５のいずれか１項に記載の紙幣処理機。
【請求項７】
前記紙幣支持手段に含まれる前記紙幣支持部材が合成樹脂シートによって形成されていることを特徴とする請求項１ないし６のいずれか１項に記載の紙幣処理機。
【請求項８】
紙幣支持手段に含まれる前記紙幣支持部材がポリエチレンテレフタレート製のシートによって形成されていることを特徴とする請求項７に記載の紙幣処理機。
【請求項９】
前記紙幣押圧手段が、自重によって、前記集積紙幣を押圧するように構成されたことを特徴とする請求項１ないし８のいずれか１項に記載の紙幣処理機。
【請求項１０】
前記紙幣収納ボックスの下部に、紙幣を繰り出し可能な繰り出し開口部が形成され、前記紙幣収納ボックスの底部に、複数の開口部が形成され、さらに、前記紙幣収納ボックスの底部に形成された前記複数の開口部を介して、前記紙幣収納ボックスに収納された最下の紙幣に当接する繰り出しローラを備えていることを特徴とする請求項１ないし９のいずれか１項に記載の紙幣処理機。
【請求項１１】
さらに、繰り出しローラが駆動されるのに同期して、前記紙幣押圧部材によって、前記紙幣収納ボックス内に収納された集積紙幣を押圧させる制御手段を備えていることを特徴とする請求項１０に記載の紙幣処理機。
【発明の詳細な説明】
【技術分野】
【０００１】
本発明は紙幣処理機に関するものであり、さらに詳細には、低コストで製造することができ、紙幣収納ボックス内に、紙幣を所望のように集積することができる紙幣収納装置を備えた紙幣処理機に関するものである。
【背景技術】
【０００２】
紙幣処理機は、通常、紙幣を収納する紙幣収納ボックスと、紙幣を紙幣収納ボックスに収納するのに先立って、紙幣を集積して、一時的に貯留する紙幣一時集積部を備え、紙幣一時集積部の底部には、開閉可能なシャッタが設けられている。
【０００３】
たとえば、紙幣を入金し、入金された紙幣を出金するように構成された紙幣入出金機にあっては、通常、入金された紙幣を金種ごとに収納する紙幣収納ボックスと、各紙幣収納ボックス内に、紙幣を収納するのに先立って、各金種の紙幣を一時的に集積して貯留する紙幣一時集積部と、紙幣一時集積部の底部に開閉可能なシャッタとが設けられ、シャッタが開くことによって、紙幣一時集積部内に集積された集積紙幣が紙幣収納ボックス内に収納されるように構成されている。
【０００４】
しかしながら、シャッタを開いて、紙幣一時集積部内に集積された集積紙幣を紙幣収納ボックス内に落下させると、紙幣が、紙幣収納ボックスの底部上に、所望のように集積されなくなるという問題があった。
【０００５】
そこで、特開平１１−０８６０８０号公報（特許文献１）や特開平１１−２３８１６３号公報（特許文献２）は、水平状態と下方を向いた状態との間で揺動可能な一対のフラッパを上部と下部に設け、まず、上部と下部に設けられた二対のフラッパを水平状態に保持することによって、集積紙幣を上部に位置する一対のフラッパによって支持し、次いで、上部に位置する一対のフラッパを下方を向くように、９０度にわたって揺動させて、集積紙幣を下部に位置する一対のフラッパに受け渡しし、さらに、下部に位置する一対のフラッパを下方を向くように、９０度にわたって揺動させて、集積された紙幣をシャッタ上に、落下させるように構成された紙幣処理装置を提案している。
【０００６】
さらに、紙幣収納ボックス内を昇降可能で、水平状態と下方を向いた状態との間で揺動可能な一対のフラッパを設け、紙幣一時集積部内に集積された集積紙幣を紙幣収納ボックスの上部に位置した一対のフラッパによって受け取り、一対のフラッパを下降させて、紙幣収納ボックスの底部近傍に達した時点で、一対のフラッパを下方を向くように、９０度にわたって揺動させて、集積された紙幣を紙幣収納ボックスの底部上に受け渡すように構成された紙幣処理機も知られている。
【先行技術文献】
【特許文献】
【０００７】
【特許文献１】特開平１１−０８６０８０号公報
【特許文献２】特開平１１−２３８１６３号公報
【発明の概要】
【発明が解決しようとする課題】
【０００８】
このように、上部に位置する一対のフラッパと下部に位置する一対のフラッパとを用いて、集積紙幣を受け取って、シャッタ上に受け渡し、あるいは、紙幣収納ボックス内を昇降可能で、水平状態と下方を向いた状態との間で揺動可能な一対のフラッパを用いて、紙幣一時集積部内で集積された集積紙幣を受け取り、一対のフラッパを紙幣収納ボックスの底部近傍に下降させて、集積紙幣を紙幣収納ボックスの底部上に受け渡すように、紙幣収納機構を構成することによって、紙幣一時集積部内で集積された集積紙幣をシャッタあるいは紙幣収納ボックスの底部上に、所望のように集積させることが可能になるが、上部に位置する一対のフラッパと下部に位置する一対のフラッパを用いて、集積紙幣を受け取って、シャッタ上に受け渡すように構成する場合には、上部に位置する一対のフラッパと下部に位置する一対のフラッパのそれぞれを揺動させる機構が必要不可欠であり、紙幣収納ボックス内を昇降可能な一対のフラッパを用いて、紙幣一時集積部内で集積された集積紙幣を受け取り、一対のフラッパを紙幣収納ボックスの底部近傍に下降させて、集積紙幣を紙幣収納ボックスの底部上に受け渡すように構成する場合には、一対のフラッパを昇降させる機構だけでなく、一対のフラッパを揺動させる機構が必要不可欠であるため、紙幣収納機構のコストが高くなるという問題があった。
【０００９】
したがって、本発明は、低コストで製造することができ、紙幣収納ボックス内に、紙幣を所望のように集積することができる紙幣収納装置を備えた紙幣処理機を提供することを目的とするものである。
【課題を解決するための手段】
【００１０】
本発明のかかる目的は、紙幣を集積する紙幣集積部と、前記紙幣集積部内に集積された集積紙幣を収納する紙幣収納ボックスと、前記紙幣集積部と前記紙幣収納ボックスとの間に位置し、前記紙幣集積部の底部を開閉するシャッタ手段と、前記シャッタ手段によって、前記紙幣集積部の底部が開かれたときに、前記紙幣集積部に集積された集積紙幣を前記紙幣収納ボックスの底部に向けて、押圧可能な紙幣押圧手段とを有する紙幣収納装置を備えた紙幣処理機であって、前記紙幣収納装置の前記紙幣収納ボックスの互いに対向する内壁に、互いに対をなし、それぞれ、可撓性を有するシートによって構成された少なくとも１つの紙幣支持部材を備えた一対の紙幣支持手段が、上下方向に少なくとも二段に設けられ、前記紙幣支持手段が、前記紙幣押圧手段によって前記紙幣収納ボックスの底部に向けて、押圧される集積紙幣を支持するように構成されたことを特徴とする紙幣処理機によって達成される。
【００１１】
本発明によれば、紙幣収納装置の紙幣収納ボックスの互いに対向する内壁に、互いに対をなし、それぞれ、可撓性を有するシートによって構成された少なくとも１つの紙幣支持部材を備えた一対の紙幣支持手段が、上下方向に少なくとも二段に設けられ、紙幣支持手段が、紙幣押圧手段によって紙幣収納ボックスの底部に向けて、押圧される集積紙幣を支持するように構成されているから、シャッタ手段によって、紙幣集積部の底部が開かれると、紙幣集積部内に集積された集積紙幣は、少なくとも二段の紙幣支持手段のうち、上段に位置する一対の紙幣支持手段によって支持され、集積紙幣が、紙幣押圧手段によって紙幣収納ボックスの底部に向けて押圧され、紙幣収納ボックス内を下降するにしたがって、上段に位置する一対の紙幣支持手段が変形し、さらに、上段に位置する一対の紙幣支持手段が変形し、集積紙幣を支持することができなくなって、集積紙幣から離間すると、集積紙幣は、上段に位置する一対の紙幣支持手段から、下段に位置する一対の紙幣支持手段に受け渡されて、下段に位置する一対の紙幣支持手段によって支持されるようになり、紙幣押圧手段によって紙幣収納ボックスの底部に向けて押圧され、紙幣収納ボックス内を下降するにしたがって、下段に位置する一対の紙幣支持手段が変形し、さらに、下段に位置する一対の紙幣支持手段が変形して、集積紙幣を支持することができなくなって、集積紙幣から離間すると、集積紙幣が、紙幣収納ボックスの底部上に収納されるように構成されており、紙幣集積が自由落下する距離が短くなるから、紙幣収納ボックスの底部上に、集積紙幣を所望のように集積させることができ、また、集積紙幣は、紙幣支持手段の可撓性を有する少なくとも１つの紙幣支持部材が変形することによって、少なくとも二段の紙幣集積部材のうち、上段に位置する紙幣支持手段から、下段に位置する紙幣支持手段に受け渡され、紙幣支持手段を駆動する手段を必要としないから、低コストで製造することができ、紙幣収納ボックス内に、紙幣を所望のように集積することができる紙幣収納装置を備えた紙幣処理機を提供することが可能になる。
【００１２】
本発明の好ましい実施態様においては、前記少なくとも二段の紙幣支持手段の間隔が、前記上段に位置する一対の紙幣支持手段が前記集積紙幣から離間し、前記集積紙幣が、前記下段に位置する一対の紙幣支持手段上に自由落下したときに、前記集積紙幣の集積状態が乱されるおそれがない距離以下に設定されている。
【００１３】
本発明のさらに好ましい実施態様においては、前記少なくとも二段の紙幣支持手段の間隔が、前記上段に位置する一対の紙幣支持手段に含まれる前記紙幣支持部材の長さと略同一に設定されている。
【００１４】
本発明のさらに好ましい実施態様によれば、少なくとも二段の紙幣支持手段の間隔が、上段に位置する一対の紙幣支持手段に含まれる紙幣支持部材の長さと略同一に設定されている場合には、集積紙幣の下降によって、上段に位置する一対の紙幣支持手段に含まれる紙幣支持部材が変形し、集積紙幣がさらに下降した結果、上段に位置する一対の紙幣支持手段に含まれる紙幣支持部材と集積紙幣とが離間し、集積紙幣が下段に位置する一対の紙幣支持手段上に、自由落下したときに、上段に位置する一対の紙幣支持手段に含まれる紙幣支持部材と集積紙幣とが離間した位置と、下段に位置する一対の紙幣支持手段に含まれる紙幣支持部材の上面との距離が小さく、集積紙幣が自由落下する距離が短いから、集積紙幣の集積状態が乱されることなく、集積紙幣を下段に位置する一対の紙幣支持手段に受け渡すことが可能になる。
【００１５】
本発明の好ましい実施態様においては、前記少なくとも二段の紙幣支持手段のうち、前記紙幣収納ボックス内に収納されるべき集積紙幣のうち、最上部に位置すべき紙幣の直上方に位置する前記一対の紙幣支持手段が、それぞれ、第一の長さを有する少なくとも１つの紙幣支持部材および前記第一の長さよりも長い第二の長さを有する少なくとも１つの紙幣支持部材を備えている。
【００１６】
本発明の好ましい実施態様によれば、紙幣押圧手段によって、集積紙幣が紙幣収納ボックスの底部に向けて、押圧され、その結果、紙幣収納ボックス内に収納されるべき集積紙幣のうち、最上部に位置すべき紙幣の直上方に位置する一対の紙幣支持手段のそれぞれに含まれた２以上の紙幣支持部材が、集積紙幣の下降にともなって、変形し、さらに、集積紙幣が下降すると、２以上の紙幣支持部材のうち、長さの短い少なくとも１つの紙幣支持部材がまず集積紙幣から離間して、略水平状態に復帰し、さらに、集積紙幣が下降すると、長さの長い少なくとも１つの紙幣支持部材も集積紙幣から離間し、その際に、長さの長い少なくとも１つの紙幣支持部材から集積紙幣に上向きの力が作用して、集積紙幣が跳ね上げられても、その時点では、長さの短い少なくとも１つの紙幣支持部材が略水平状態に復帰しているから、集積紙幣が長さの短い紙幣支持部材よりも上方に跳ね上げられることを確実に防止することができる。したがって、紙幣収納ボックス内に収納されるべき集積紙幣のうち、最上部に位置すべき紙幣の直上方に位置する一対の紙幣支持手段の上方において、シャッタ部材が、紙幣集積部の底部を開閉するように構成することが可能になるから、紙幣収納ボックス内の収納空間を効果的に利用することができる。
【００１７】
本発明の好ましい実施態様においては、前記一対の紙幣支持手段が、前記紙幣収納ボックスの内壁に、少なくとも三段、設けられている。
【００１８】
本発明の好ましい実施態様においては、横方向に、少なくとも２列の前記一対の紙幣支持手段が設けられている。
【００１９】
本発明の好ましい実施態様においては、前記紙幣支持手段に含まれる前記紙幣支持部材が合成樹脂シートによって形成されている。
【００２０】
本発明のさらに好ましい実施態様においては、前記紙幣支持手段に含まれる前記紙幣支持部材がポリエチレンテレフタレート製のシートによって形成されている。
【００２１】
本発明の好ましい実施態様においては、前記紙幣押圧手段が、自重によって、前記集積紙幣を押圧するように構成されている。
【００２２】
本発明のさらに好ましい実施態様においては、前記紙幣収納ボックスの下部に、紙幣を繰り出し可能な繰り出し開口部が形成され、前記紙幣収納ボックスの底部に、複数の開口部が形成され、紙幣処理機は、さらに、前記紙幣収納ボックスの底部に形成された前記複数の開口部を介して、前記紙幣収納ボックスに収納された最下の紙幣に当接する繰り出しローラを備えている。
【００２３】
本発明のさらに好ましい実施態様においては、紙幣処理機は、さらに、繰り出しローラが駆動されるのに同期して、前記紙幣押圧部材によって、前記紙幣収納ボックス内に収納された集積紙幣を押圧させる制御手段を備えている。
【発明の効果】
【００２４】
本発明によれば、低コストで製造することができ、紙幣収納ボックス内に、紙幣を所望のように集積することができる紙幣収納装置を備えた紙幣処理機を提供することが可能になる。
【図面の簡単な説明】
【００２５】
【図１】図１は、本発明の好ましい実施態様にかかる紙幣処理機に設けられた紙幣収納装置の略縦断面図である。
【図２】図２は、図１に示された紙幣収納装置の紙幣収納ボックスの内壁の略斜視図であって、図１の左右方向に直交する紙幣収納ボックスの内壁の構造を示している。
【図３】図３は、本実施態様にかかる紙幣収納装置の入力系、検出系、駆動系、制御系および表示系を示すブロックダイアグラムである。
【図４】図４は、紙幣押圧部材と係合部材との係合が解除され、集積紙幣が紙幣収納ボックス内を下降している状態にある紙幣収納装置を図２の矢印Ｘで示される方向から見た略断面図である。
【図５】図５は、集積紙幣が、第一の紙幣支持手段の紙幣支持部材および第七の紙幣支持手段の紙幣支持部材に当接しなくなり、第一の紙幣支持手段の紙幣支持部材および第七の紙幣支持手段の紙幣支持部材によって支持されなくなった状態の紙幣収納装置を図２のＸで示される方向から見た略断面図である。
【図６】図６は、集積紙幣が、第三の紙幣支持手段の長さの短い紙幣支持部材および第五の紙幣支持手段の長さの短い紙幣支持部材に当接しなくなり、第三の紙幣支持手段の長さの短い紙幣支持部材および第五の紙幣支持手段の長さの短い紙幣支持部材によって支持されなくなった状態の紙幣収納装置を図２のＸで示される方向から見た略断面図である。
【発明を実施するための形態】
【００２６】
図１は、本発明の好ましい実施態様にかかる紙幣処理機に設けられた紙幣収納装置の略縦断面図であり、図２は、図１に示された紙幣収納装置の紙幣収納ボックスの内壁の略斜視図で、図１の左右方向に直交する紙幣収納ボックスの内壁の構造を示している。
【００２７】
図１に示されるように、本実施態様にかかる紙幣収納装置は、金種毎に紙幣を収納する複数の紙幣収納ボックス１を備えている。図１には、２つの紙幣収納ボックス１しか図示されていないが、紙幣処理機は、処理すべき紙幣の金種の数に等しい数の紙幣収納ボックス１を備えており、複数の紙幣収納ボックス１は、図１の左右方向に並んで配置されている。
【００２８】
図１において、参照番号５で示されているのは集積された紙幣を押圧する紙幣押圧部材であり、参照番号６で示されているのは、開閉可能なシャッタで、図１は、シャッタ６が閉じた状態を示している。紙幣は、紙幣押圧部材５とシャッタ６との間に送り込まれるように構成されており、紙幣押圧部材５とシャッタ６との間に、紙幣を一時的に集積して、貯留する紙幣一時集積部７が形成されている。
【００２９】
図１に示されるように、シャッタ６は、Ｌ字状の断面形状を有する一対のシャッタ部材６ａ、６ｂを備えており、一対のシャッタ部材６ａ、６ｂはＬ字状に折り曲げられ、下方に延びる先端部を有し、図１には図示されていないが、一対のシャッタ部材６ａ、６ｂの先端部近傍はフォーク状をなし、互いに重なり合うことが可能なように、互いに相補的な刃および溝を備えている。ここに、シャッタ６を構成する一対のシャッタ部材６ａ、６ｂがＬ字状の断面形状を有し、下方に延びる先端部を有しているのは、一対のシャッタ部材６ａ、６ｂを離間させて、シャッタ６を開き、紙幣一時集積部７内に集積された集積紙幣を紙幣収納ボックス１内に収納する際に、一対のシャッタ部材６ａ、６ｂの下方に延びる先端部によって、集積紙幣をガイドするためである。
【００３０】
図１には、紙幣押圧部材５が、係合部材（図示しない）に係合されて、シャッタ６の面に対して斜めの退避位置に位置している状態が示されており、係合部材との係合が解除されると、紙幣押圧部材５は略水平になり、自重によって、紙幣一時集積部７内に集積された集積紙幣を下方に押圧するように構成されている。
【００３１】
図２に示されるように、図１の左右方向に直交する紙幣収納ボックス１の一対の内壁１ａには、それぞれ、後述する複数の紙幣支持部材が、対向する紙幣収納ボックス１の内壁１ａに向かって突出するように設けられている。
【００３２】
図２に示されるように、図１の左右方向に直交する紙幣収納ボックス１の一方の内壁１ａには、７つの紙幣支持部材列、すなわち、第一の紙幣支持部材列１１、第二の紙幣支持部材列１２、第三の紙幣支持部材列１３、第四の紙幣支持部材列１４、第五の紙幣支持部材列１５、第六の紙幣支持部材列１６および第七の紙幣支持部材列１７が形成されている。
【００３３】
図２に示されるように、紙幣収納ボックス１の内壁１ａの一方の端縁部に位置する第一の紙幣支持部材列１１は、単一の紙幣支持部材１１ａを備え、内壁１ａに設けられた複数の紙幣支持部材のうちで、最も高い位置に設けられ、第一段目の紙幣支持手段を構成している。
【００３４】
本実施態様においては、後述するように、第三の紙幣支持部材列１３の紙幣支持部材１３ａ、第五の紙幣支持部材列１５の紙幣支持部材１５ａおよび第七の紙幣支持部材列１７の紙幣支持部材１７ａが、第一の紙幣支持部材列１１の紙幣支持部材１１ａとともに、第一段目の紙幣支持手段を構成し、第一の紙幣支持部材列１１の紙幣支持部材１１ａの長さは、第七の紙幣支持部材列１７の紙幣支持部材１７ａと同じ長さで、第三の紙幣支持部材列１３の紙幣支持部材１３ａおよび第五の紙幣支持部材列１５の紙幣支持部材１５ａの長さよりも短く設定されている。
【００３５】
本実施態様においては、第一の紙幣支持部材列１１の紙幣支持部材１１ａは、可撓性を有するポリエチレンテレフタレート製のシートによって形成されている。
【００３６】
また、図２に示されるように、第二の紙幣支持部材列１２は、上下方向に、三対の紙幣支持部材１２ａおよび１２ａ、１２ｂおよび１２ｂならびに１２ｃおよび１２ｃを備えている。
【００３７】
本実施態様においては、第二の紙幣支持部材列１２の一対の紙幣支持部材１２ａ、１２ａは、第一段目の紙幣支持手段を構成している紙幣支持部材１１ａから下方に離間して設けられ、第二段目の紙幣支持手段を構成している。
【００３８】
また、第二の紙幣支持部材列１２の一対の紙幣支持部材１２ｂ、１２ｂは、第二段目の紙幣支持手段を構成する紙幣支持部材１２ａ、１２ａから、紙幣支持部材１２ａ、１２ａの長さに等しい距離だけ、下方に離間して設けられ、第三段目の紙幣支持手段を構成している。
【００３９】
さらに、図２に示されるように、第二の紙幣支持部材列１２の一対の紙幣支持部材１２ｃ、１２ｃは、第三段目の紙幣支持手段を構成する紙幣支持部材１２ｂ、１２ｂから、紙幣支持部材１２ｂ、１２ｂの長さに等しい距離だけ、下方に離間して設けられ、第四段目の紙幣支持手段を構成している。
【００４０】
本実施態様においては、第二の紙幣支持部材列１２の紙幣支持部材１２ａ、１２ａ、１２ｂ、１２ｂ、１２ｃ、１２ｃはいずれも、可撓性を有するポリエチレンテレフタレート製のシートによって形成されている。
【００４１】
また、図２に示されるように、第三の紙幣支持部材列１３は、上下方向に、４つの紙幣支持部材１３ａ、１３ｂ、１３ｃ、１３ｄを備え、紙幣支持部材１３ａは、第一の紙幣支持部材列１１の紙幣支持部材１１ａと同じ高さ位置に設けられ、第一段目の紙幣支持手段を構成している。
【００４２】
一方、第三の紙幣支持部材列１３の紙幣支持部材１３ｂは紙幣支持部材１３ａの長さよりも短く設定され、第二の紙幣支持部材列の一対の紙幣支持部材１２ａ、１２ａと同じ高さ位置に設けられ、第二段目の紙幣支持手段を構成している。
【００４３】
第三の紙幣支持部材列１３の紙幣支持部材１３ｃは、第二段目の紙幣支持手段を構成する第二の紙幣支持部材列１２の紙幣支持部材１２ａから、紙幣支持部材１２ａの長さに等しい距離だけ、下方に離間した高さ位置で、第二の紙幣支持部材列１２の一対の紙幣支持部材１２ｂ、１２ｂと同じ高さ位置に設けられ、第三段目の紙幣支持手段を構成している。
【００４４】
また、第三の紙幣支持部材列１３の紙幣支持部材１３ｄは、第三段目の紙幣支持部材手段を構成する紙幣支持部材１３ｃから、紙幣支持部材１３ｃの長さに等しい距離だけ、下方に離間した高さ位置で、第二の紙幣支持部材列１２の一対の紙幣支持部材１２ｃ、１２ｃと同じ高さ位置に設けられ、第四段目の紙幣支持手段を構成している。
【００４５】
本実施態様においては、第三の紙幣支持部材列１３の紙幣支持部材１３ａ、１３ｂ、１３ｃおよび１３ｄはいずれも、可撓性を有するポリエチレンテレフタレート製のシートによって形成されている。
【００４６】
一方、図２に示されるように、中央に位置する第四の紙幣支持部材列１４は、上下方向に、三対の紙幣支持部材１４ａおよび１４ａ、１４ｂおよび１４ｂ、１４ｃおよび１４ｃを備えている。
【００４７】
第四の紙幣支持部材列１４の一対の紙幣支持部材１４ａ、１４ａは、第二の紙幣支持部材列１２の一対の紙幣支持部材１２ａ、１２ａならびに第三の紙幣支持部材列１３の紙幣支持部材１３ｂと同じ高さ位置に設けられ、第二段目の紙幣支持手段を構成している。
【００４８】
また、図２に示されるように、第四の紙幣支持部材列１４の一対の紙幣支持部材１４ｂおよび１４ｂは、一対の紙幣支持部材１４ａ、１４ａから、紙幣支持部材１４ａ、１４ａの長さに等しい距離だけ、下方に離間した高さ位置で、第二の紙幣支持部材列１２の一対の紙幣支持部材１２ｂ、１２ｂならびに第三の紙幣支持部材列１３の紙幣支持部材１３ｃと同じ高さ位置に設けられ、第三段目の紙幣支持手段を構成している。
【００４９】
第四の紙幣支持部材列１４の一対の紙幣支持部材１４ｃおよび１４ｃは、一対の紙幣支持部材１４ｂおよび１４ｂから、一対の紙幣支持部材１４ｂおよび１４ｂの長さに等しい距離だけ、下方に離間した高さ位置で、第二の紙幣支持部材列１２の一対の紙幣支持部材１２ｃ、１２ｃならびに第三の紙幣支持部材列１３の紙幣支持部材１３ｄと同じ高さ位置に設けられ、第四段目の紙幣支持手段を構成している。
【００５０】
本実施態様においては、第四の紙幣支持部材列１４の紙幣支持部材１４ａ、１４ａ、１４ｂ、１４ｂ、１４ｃ、１４ｃはいずれも、可撓性を有するポリエチレンテレフタレート製のシートによって形成されている。
【００５１】
図２に示されるように、第五の紙幣支持部材列１５は、第三の紙幣支持部材列１３と同様に、上下方向に、４つの紙幣支持部材１５ａ、１５ｂ、１５ｃ、１５ｄを備え、紙幣支持部材１５ａは、第一の紙幣支持部材列１１の紙幣支持部材１１ａおよび第三の紙幣支持部材列１３の紙幣支持部材１３ａと同じ高さ位置に設けられ、第一段目の紙幣支持手段を構成している。
【００５２】
一方、第五の紙幣支持部材列１５の紙幣支持部材１５ｂは紙幣支持部材１５ａの長さよりも短く設定され、第二の紙幣支持部材列１２の一対の紙幣支持部材１２ａ、１２ａ、第三の紙幣支持部材列１３の紙幣支持部材１３ｂならびに第四の紙幣支持部材列１４の紙幣支持部材１４ａ、１４ａと同じ高さ位置に設けられ、第二段目の紙幣支持手段を構成している。
【００５３】
第五の紙幣支持部材列１５の紙幣支持部材１５ｃは、第二段目の紙幣支持手段を構成する第二の紙幣支持部材列１２の紙幣支持部材１２ａから、紙幣支持部材１２ａの長さに等しい距離だけ、下方に離間した高さ位置で、第二の紙幣支持部材列１２の一対の紙幣支持部材１２ｂ、１２ｂと同じ高さ位置に設けられ、第三段目の紙幣支持手段を構成している。
【００５４】
また、第五の紙幣支持部材列１５の紙幣支持部材１５ｄは、第三段目の紙幣支持手段を構成する紙幣支持部材１５ｃから、紙幣支持部材１５ｃの長さに等しい距離だけ、下方に離間した高さ位置で、第二の紙幣支持部材列１２の一対の紙幣支持部材１２ｃ、１２ｃ、第三の紙幣支持部材列１３の紙幣支持部材１３ｄならびに第四の紙幣支持部材列１４の紙幣支持部材１４ｃ、１４ｃと同じ高さ位置に設けられ、第四段目の紙幣支持部材手段を構成している。
【００５５】
本実施態様においては、第五の紙幣支持部材列１５の紙幣支持部材１５ａ、１５ｂ、１５ｃおよび１５ｄはいずれも、可撓性を有するポリエチレンテレフタレート製のシートによって形成されている。
【００５６】
図２に示されるように、第六の紙幣支持部材列１６は、上下方向に、三対の紙幣支持部材１６ａおよび１６ａ、１６ｂおよび１６ｂならびに１６ｃおよび１６ｃを備えている。
【００５７】
本実施態様においては、第六の紙幣支持部材列１６の一対の紙幣支持部材１６ａ、１６ａは、第一段目の紙幣支持手段を構成する第一の紙幣支持部材列１１の紙幣支持部材１１ａ、第三の紙幣支持部材列１３の紙幣支持部材１３ａおよび第五の紙幣支持部材列１５の紙幣支持部材１５ａの下方で、第二の紙幣支持部材列１２の紙幣支持部材１２ａ、１２ａ、第三の紙幣支持部材列１３の紙幣支持部材１３ｂおよび第五の紙幣支持部材列１５の紙幣支持部材１５ｂと同じ高さ位置に設けられており、第二段目の紙幣支持手段を構成している。
【００５８】
また、第六の紙幣支持部材列１６の一対の紙幣支持部材１６ｂ、１６ｂは、第二段目の紙幣支持手段を構成する紙幣支持部材１６ａ、１６ａから、紙幣支持部材１６ａ、１６ａの長さに等しい距離だけ、下方に離間して設けられ、第三段目の紙幣支持手段を構成している。
【００５９】
さらに、図２に示されるように、第六の紙幣支持部材列１６の一対の紙幣支持部材１６ｃ、１６ｃは、第三段目の紙幣支持手段を構成する紙幣支持部材１６ｂ、１６ｂから、第三段目の紙幣支持手段を構成する紙幣支持部材１６ｂ、１６ｂの長さに等しい距離だけ、下方に離間して設けられ、第四段目の紙幣支持手段を構成している。
【００６０】
本実施態様においては、第六の紙幣支持部材列１６の紙幣支持部材１６ａ、１６ａ、１６ｂ、１６ｂ、１６ｃ、１６ｃはいずれも、可撓性を有するポリエチレンテレフタレート製のシートによって形成されている。
【００６１】
図２に示されるように、第七の紙幣支持部材列１７は、単一の紙幣支持部材１７ａを備え、紙幣支持部材１７ａは、第一の紙幣支持部材列１１の紙幣支持部材１１ａ、第三の紙幣支持部材列１３の紙幣支持部材１３ａおよび第五の紙幣支持部材列１５の紙幣支持部材１５ａと同じ高さ位置に設けられ、第一段目の紙幣支持手段を構成している。
【００６２】
本実施態様においては、第七の紙幣支持部材列１７の紙幣支持部材１７ａは、第一の紙幣支持手段１１の紙幣支持部材１１ａと同じ長さを有し、可撓性を有するポリエチレンテレフタレート製のシートによって形成されている。
【００６３】
本実施態様において、各紙幣支持部材は、その基端部が紙幣収納ボックス１の外部に位置する一対の板状部材によって、片持ち梁状に挟持されており、図１に示されるように、第一段目の紙幣支持手段を構成する紙幣支持部材のうち、第三の紙幣支持部材列１３の紙幣支持部材１３ａの基端部は、一対の板状部材１１３ａによって、片持ち梁状に挟持されている。第一段目の紙幣支持手段を構成する他の紙幣支持部材１１ａ、紙幣支持部材１５ａおよび紙幣支持部材１７ａも紙幣収納ボックス１の外部に位置する一対の板状部材によって、片持ち梁状に挟持されているが、図１には図示されていない。
【００６４】
また、図１に示されるように、第二段目の紙幣支持手段を構成する紙幣支持部材のうち、第二の紙幣支持部材列１２の紙幣支持部材１２ａ、１２ａは、その基端部が紙幣収納ボックス１の外部に位置する一対の板状部材１１２ａによって、片持ち梁状に挟持されており、第二段目の紙幣支持手段を構成する他の紙幣支持部材１３ｂ、１４ａ、１４ａ、１５ｂ、１６ａ、１６ｂの基端部も、同様に、紙幣収納ボックス１の外部に位置する一対の板状部材によって、片持ち梁状に挟持されているが、図１には図示されていない。
【００６５】
さらに、図１に示されるように、第三段目の紙幣支持手段を構成する紙幣支持部材のうち、第二の紙幣支持部材列１２の紙幣支持部材１２ｂ、１２ｂは、その基端部が紙幣収納ボックス１の外部に位置する一対の板状部材１１２ｂによって、片持ち梁状に挟持されており、第三段目の紙幣支持手段を構成する他の紙幣支持部材１３ｃ、１４ｂ、１４ｂ、１５ｃ、１６ｂ、１６ｂの基端部も、同様に、紙幣収納ボックス１の外部に位置する一対の板状部材によって、片持ち梁状に挟持されているが、図１には図示されていない。
【００６６】
また、図１に示されるように、第四段目の紙幣支持手段を構成する紙幣支持部材のうち、第二の紙幣支持部材列１２の紙幣支持部材１２ｃ、１２ｃは、その基端部が紙幣収納ボックス１の外部に位置する一対の板状部材１１２ｃによって、片持ち梁状に挟持されており、第四段目の紙幣支持手段を構成する他の紙幣支持部材１３ｄ、紙幣支持部材１４ｃ、１４ｃ、紙幣支持部材１５ｄ、紙幣支持部材１６ｃ、１６ｃの基端部も、同様に、紙幣収納ボックス１の外部に位置する一対の板状部材によって、片持ち梁状に挟持されているが、図１には図示されていない。
【００６７】
図２に示されるように、第一段目の紙幣支持手段を構成する紙幣支持部材１１ａ、１３ａ、１５ａ、１７ａと、第二段目の紙幣支持手段を構成する紙幣支持部材１２ａ、１２ａ、１３ｂ、１４ａ、１４ａ、１５ｂ、１６ａ、１６ａとの間の紙幣収納ボックス１の内壁１ａには、２つのセンサ開口部２０が形成されており、図１において、左右方向に配置された他の紙幣収納ボックス１の内壁にも、対応する位置にセンサ開口部２０が形成されている。ここに、センサ開口部２０が、第一段目の紙幣支持手段を構成する紙幣支持部材１１ａ、紙幣支持部材１３ａ、紙幣支持部材１５ａ、紙幣支持部材１７ａと、第二段目の紙幣支持手段を構成する紙幣支持部材１２ａ、１２ａ、紙幣支持部材１３ｂ、紙幣支持部材１４ａ、１４ａ、紙幣支持部材１５ｂ、紙幣支持部材１６ａ、１６ａとの間の紙幣収納ボックス１の内壁１ａに形成されているのは、シャッタ部材６ａ、６ｂがＬ字状の断面形状を有し、下方に延びる先端部を有しているため、センサ開口部２０を、第一段目の紙幣支持手段を構成する紙幣支持部材１１ａ、１３ａ、１５ａ、１７ａの上方の紙幣収納ボックス１の内壁１ａに形成すると、後述するシャッタセンサの発光素子から発せられた光が、シャッタ部材６ａ、６ｂによって遮光され、紙幣収納装置が誤作動をするおそれが高いからである。
【００６８】
図２には図示されていないが、図１に示されるように、図２に示される紙幣収納ボックス１の内壁１ａに対向する紙幣収納ボックス１の内壁面には、図２に示される紙幣収納ボックス１の内壁１ａに設けられた複数の紙幣支持部材と面対称の位置に、複数の紙幣支持部材が設けられ、また、本実施態様にかかる紙幣処理機の複数の紙幣収納ボックス１は同様の構成を有しており、本明細書において、図２に示された各紙幣支持列１１、１２、１３、１４、１５、１７ならびに各紙幣支持部材１１ａ、１２ａ、１２ａ、１２ｂ、１２ｂ、１２ｃ、１２ｃ、１３ａ、１３ｂ、１３ｃ、１３ｄ、１４ａ、１４ａ、１４ｂ、１４ｂ、１４ｃ、１４ｃ、１５ａ、１５ｂ、１５ｃ、１５ｄ、１６ａ、１６ａ、１６ｂ、１６ｂ、１６ｃ、１６ｃ、１７ａに対応する紙幣支持手段ならびに紙幣支持部材を指す場合には、図２と同じ符号が用いられている。
【００６９】
図１に示されるように、各紙幣収納ボックス１の一方の内壁１ａの下端部近傍には、紙幣を繰り出し可能な繰り出し開口部８と、繰り出し開口部８近傍の底板１ｂに形成された複数の開口部（図示せず）を介して、紙幣収納ボックス１内に収納された集積紙幣の最下の紙幣に当接して、紙幣を１枚ずつ、繰り出し開口部８を介して、紙幣通路（図示せず）へ繰り出す複数の繰り出しローラ９が設けられている。
【００７０】
さらに、図１の左右方向に設けられた複数の紙幣収納ボックス１のうち、最も左方または右方に設けられた紙幣収納ボックス１の内壁１ａの左方または右方のセンサ開口部２０の中心線上には、それぞれ、センサ開口部２０に向けて、光を発する発光素子（図示せず）が設けられ、最も右方または左方に設けられた紙幣収納ボックス１の内壁１ａの右方または左方のセンサ開口部２０の延長線上には、発光素子から発せられ、各紙幣収納ボックス１の内壁１ａに形成されたセンサ開口部２０を通過した光を受光可能な受光素子（図示せず）が設けられており、これらの発光素子および受光素子によって、シャッタセンサ（図示せず）が構成されている。シャッタセンサは、発光素子から放出された光を、各紙幣収納ボックス１の内壁１ａに形成されたセンサ開口部２０を介して、受光素子が検出しない場合、すなわち、発光素子から放出された光が紙幣によって遮られた場合に、紙幣検出信号を出力するように構成されている。
【００７１】
図３は、本実施態様にかかる紙幣収納装置の入力系、検出系、駆動系、制御系および表示系を示すブロックダイアグラムである。
【００７２】
図３に示されるように、紙幣収納装置の入力系は、オペレータによって種々の指示信号を入力可能なキーボード２５を備えている。
【００７３】
図３に示されるように、紙幣収納装置の検出系は、発光素子３１と受光素子３２を備え、紙幣収納ボックス１内に収納された集積紙幣が、所定枚数を越えたか否かを検出して、集積紙幣検出信号を出力するシャッタセンサ３０を備えている。図示されていないが、発光素子３１から発せられる光の光軸は、複数の紙幣収納ボックス１のセンサ開口部２０を貫通している。
【００７４】
図３に示されるように、紙幣収納装置の駆動系は、シャッタ６を開閉するシャッタソレノイド４０と、紙幣押圧部材５と係合部材の係合を解除して、紙幣押圧部材５を作動させる紙幣押圧部材作動手段４１と、紙幣収納ボックス１内に下降した紙幣押圧部材５を引き上げて、係合部材に係合させる紙幣押圧部材復帰手段４２と、紙幣収納ボックス１内に収納された集積紙幣の最下の紙幣に当接して、紙幣を１枚ずつ、繰り出し開口部８を介して、繰り出す複数の繰り出しローラ９を駆動する繰り出しローラ駆動手段４３を備えている。
【００７５】
図３に示されるように、本実施態様にかかる紙幣収納装置の制御系は、オペレータによってキーボード２５に入力された指示信号およびシャッタセンサ３０の検出信号に応答して、シャッタソレノイド４０、紙幣押圧部材作動手段４１、紙幣押圧部材復帰手段４２、繰り出しローラ駆動手段４３に駆動信号を出力するコントロールユニット５０を備えている。
【００７６】
また、紙幣収納装置の表示系は、種々のメッセージを表示するディスプレイパネル６０を備えている。
【００７７】
以上のように構成された本実施態様にかかる紙幣収納装置は、以下のようにして、紙幣一時集積部７内で集積された集積紙幣を紙幣収納ボックス１内に収納する。
【００７８】
まず、オペレータによって、キーボード２５が操作されて、紙幣一時集積部７内に集積されている集積紙幣を紙幣収納ボックス１内に収納すべき旨の指示信号および紙幣一時集積部７内に集積されている集積紙幣を収納すべき紙幣収納ボックス１を指定するボックス指定信号がコントロールユニット５０に入力されると、コントロールユニット５０はシャッタソレノイド４０に駆動信号を出力して、対応する紙幣収納ボックス１のシャッタ６を開放させる。
【００７９】
ここに、オペレータは、１または複数の紙幣収納ボックス１を指定して、指定した紙幣収納ボックス１に対応する紙幣一時集積部７内に集積されている集積紙幣を、同時に、１または複数の紙幣収納ボックス１に収納すべき旨を指示することができる。
【００８０】
その結果、紙幣一時集積部７内に集積されている集積紙幣は、紙幣収納ボックス１内に落下し、第一段目の紙幣支持手段を構成する紙幣支持部材１１ａ、１３ａ、１５ａ、１７ａによって支持される。すなわち、集積紙幣は、第一の紙幣支持部材列１１の紙幣支持部材１１ａおよび第七の紙幣支持部材列１７の紙幣支持部材１７ａによって、その四隅近傍領域が支持されるとともに、第三の紙幣支持部材列１３の紙幣支持部材１３ａおよび第五の紙幣支持部材列１５の紙幣支持部材１５ａによって、内壁面に平行な集積紙幣の側部が支持される。
【００８１】
次いで、コントロールユニット５０は、紙幣押圧部材作動手段４１に作動信号を出力して、紙幣押圧部材５と係合部材（図示せず）との係合を解除させる。
【００８２】
紙幣押圧部材５と係合部材との係合が解除されると、紙幣押圧部材５が、自重によって、集積紙幣７０を押圧し、集積紙幣７０が紙幣収納ボックス１内を下降する。
【００８３】
図４は、紙幣押圧部材５と係合部材との係合が解除され、集積紙幣７０が紙幣収納ボックス１内を下降している状態の紙幣収納装置を図２の矢印Ｘで示される方向から見た略断面図である。
【００８４】
ここに、第一の紙幣支持部材列１１の紙幣支持部材１１ａ、第七の紙幣支持部材列１７の紙幣支持部材１７ａ、第三の紙幣支持部材列１３の紙幣支持部材１３ａおよび第五の紙幣支持部材列１５の紙幣支持部材１５ａはいずれも、可撓性を有するポリエチレンテレフタレートのシートによって形成されているため、図４に示されるように、第一の紙幣支持部材列１１の紙幣支持部材１１ａ、第七の紙幣支持部材列１７の紙幣支持部材１７ａ、第三の紙幣支持部材列１３の紙幣支持部材１３ａおよび第五の紙幣支持部材列１５の紙幣支持部材１５ａによって支持された集積紙幣７０が、紙幣押圧部材５の自重によって、紙幣収納ボックス１内を下降すると、第一の紙幣支持部材列１１の紙幣支持部材１１ａ、第七の紙幣支持部材列１７の紙幣支持部材１７ａ、第三の紙幣支持部材列１３の紙幣支持部材１３ａおよび第五の紙幣支持部材列１５の紙幣支持部材１５ａが、下方に変形する。
【００８５】
集積紙幣７０が紙幣収納ボックス１内をさらに下降すると、第一の紙幣支持部材列１１の紙幣支持部材１１ａ、第七の紙幣支持部材列１７の紙幣支持部材１７ａ、第三の紙幣支持部材列１３の紙幣支持部材１３ａおよび第五の紙幣支持部材列１５の紙幣支持部材１５ａがさらに下方に変形する。
【００８６】
その結果、第一の紙幣支持部材列１１の紙幣支持部材１１ａおよび第七の紙幣支持部材列１７の紙幣支持部材１７ａの長さが、第三の紙幣支持部材列１３の紙幣支持部材１３ａおよび第五の紙幣支持部材列１５の紙幣支持部材１５ａの長さよりも短いため、第一の紙幣支持部材列１１の紙幣支持部材１１ａおよび第七の紙幣支持部材列１７の紙幣支持部材１７ａが、まず、集積紙幣７０の四隅近傍領域から離れて、第一の紙幣支持部材列１１の紙幣支持部材１１ａおよび第七の紙幣支持部材列１７の紙幣支持部材１７ａが、元の略水平状態に復帰する。
【００８７】
図５は、第一の紙幣支持部材列１１の紙幣支持部材１１ａおよび第七の紙幣支持部材列１７の紙幣支持部材１７ａが集積紙幣７０の四隅近傍領域から離れ、集積紙幣７０が、第一の紙幣支持部材列１１の紙幣支持部材１１ａおよび第七の紙幣支持部材列１７の紙幣支持部材１７ａによって支持されなくなった状態を示す図２の矢印Ｘで示される方向から見た略断面図である。
【００８８】
図５に示されるように、この状態では、第一の紙幣支持部材列１１の紙幣支持部材１１ａおよび第七の紙幣支持部材列１７の紙幣支持部材１７ａは元の略水平状態に復帰しているが、集積紙幣７０は、依然として、第一の紙幣支持部材列１１の紙幣支持部材１１ａおよび第七の紙幣支持部材列１７の紙幣支持部材１７ａよりも長さの長い第三の紙幣支持部材列１３の紙幣支持部材１３ａおよび第五の紙幣支持部材列１５の紙幣支持部材１５ａによって支持されている。
【００８９】
集積紙幣７０がさらに下降して、第三の紙幣支持部材列１３の紙幣支持部材１３ａおよび第五の紙幣支持部材列１５の紙幣支持部材１５ａがさらに変形をすると、第三の紙幣支持部材列１３の紙幣支持部材１３ａおよび第五の紙幣支持部材列１５の紙幣支持部材１５ａが、集積紙幣７０を支持することができなくなって、集積紙幣７０から離間する。
【００９０】
その結果、第三の紙幣支持部材列１３の紙幣支持部材１３ａおよび第五の紙幣支持部材列１５の紙幣支持部材１５ａが元の略水平状態に復帰し、その際、第三の紙幣支持部材列１３の紙幣支持部材１３ａおよび第五の紙幣支持部材列１５の紙幣支持部材１５ａから、集積紙幣７０に上向きの力が加えられ、集積紙幣７０が跳ね上げられるおそれがあるが、長さが長い第三の紙幣支持部材列１３の紙幣支持部材１３ａおよび第五の紙幣支持部材列１５の紙幣支持部材１５ａが集積紙幣７０から離れる時点では、長さの短い第一の紙幣支持部材列１１の紙幣支持部材１１ａおよび第七の紙幣支持部材列１７の紙幣支持部材１７ａが元の略水平状態に復帰しているから、第三の紙幣支持部材列１３の紙幣支持部材１３ａおよび第五の紙幣支持部材列１５の紙幣支持部材１５ａが集積紙幣７０から離れ、第三の紙幣支持部材列１３の紙幣支持部材１３ａおよび第五の紙幣支持部材列１５の紙幣支持部材１５ａが元の略水平状態に復帰する際に、集積紙幣７０を跳ね上げても、集積紙幣７０は、略水平状態にある長さの短い第一の紙幣支持部材列１１の紙幣支持部材１１ａおよび第七の紙幣支持部材列１７の紙幣支持部材１７ａにブロックされるから、集積紙幣７０が第一段目の紙幣支持手段の上方に跳ね上がることを確実に防止することが可能になる。
【００９１】
こうして、集積紙幣７０が第一段目の紙幣支持手段を構成する紙幣支持部材によって支持されなくなると、集積紙幣７０は、第二段目の紙幣支持手段を構成する紙幣支持部材上に落下し、第二の紙幣支持部材列１２の紙幣支持部材１２ａ、１２ａ、第三の紙幣支持部材列１３の紙幣支持部材１３ｂ、第四の紙幣支持部材列１４の紙幣支持部材１４ａ、１４ａ、第五の紙幣支持部材列１５の紙幣支持部材１５ｂならびに第六の紙幣支持部材列１６の紙幣支持部材１６ａ、１６ａに当接し、これらによって支持される。
【００９２】
紙幣押圧部材５の自重によって、集積紙幣７０がさらに下降すると、第二段目の紙幣支持手段を構成する紙幣支持部材はいずれも、可撓性を有するポリエチレンテレフタレート製のシートによって形成されているため、集積紙幣の下降にしたがって、第二段目の紙幣支持手段を構成する紙幣支持部材が変形する。
【００９３】
その結果、第三の紙幣支持部材列１３の紙幣支持部材１３ｂおよび第五の紙幣支持部材列１５の紙幣支持部材１５ｂの長さは、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａの長さよりも短いため、まず、第三の紙幣支持部材列１３の紙幣支持部材１３ｂおよび第五の紙幣支持部材列１５の紙幣支持部材１５ｂが集積紙幣７０から離れて、第三の紙幣支持部材列１３の紙幣支持部材１３ｂおよび第五の紙幣支持部材列１５の紙幣支持部材１５ｂが元の略水平状態に復帰する。
【００９４】
図６は、第三の紙幣支持部材列１３の紙幣支持部材１３ｂおよび第五の紙幣支持部材列１５の紙幣支持部材１５ｂが集積紙幣７０から離れ、集積紙幣７０が第三の紙幣支持部材列１３の紙幣支持部材１３ｂおよび第五の紙幣支持部材列１５の紙幣支持部材１５ｂによって支持されなくなった状態を示す図２の矢印Ｘで示される方向から見た略断面図である。
【００９５】
図６に示されるように、この状態では、第三の紙幣支持部材列１３の紙幣支持部材１３ｂおよび第五の紙幣支持部材列１５の紙幣支持部材１５ｂは略水平状態に復帰しているが、集積紙幣７０は、依然として、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａによって支持されている。
【００９６】
集積紙幣７０がさらに下降し、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａがさらに変形をすると、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａが集積紙幣７０を支持することができなくなって、集積紙幣７０から離間する。
【００９７】
その結果、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａが元の略水平状態に復帰し、その際、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａから、集積紙幣７０に上向きの力が加えられて、集積紙幣７０が跳ね上げられるおそれがあるが、長さが長い第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａが、集積紙幣７０から離れる時点で、長さの短い第三の紙幣支持部材列１３の紙幣支持部材１３ｂおよび第五の紙幣支持部材列１５の紙幣支持部材１５ｂが元の略水平状態に復帰しているから、集積紙幣７０が、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａから離間し、第二の紙幣支持部材列１２の紙幣支持部材１２ａ、１２ａ、第四の紙幣支持部材列１４の紙幣支持部材１４ａ、１４ａならびに第六の紙幣支持部材列１６の紙幣支持部材１６ａ、１６ａが元の略水平状態に復帰する際に、集積紙幣７０を跳ね上げても、集積紙幣７０は、すでに略水平状態に復帰している第三の紙幣支持部材列１３の紙幣支持部材１３ｂおよび第五の紙幣支持部材列１５の紙幣支持部材１５ｂによってブロックされるから、集積紙幣７０が、第二段目の紙幣支持手段の上方に跳ね上がることを確実に防止することが可能になる。
【００９８】
こうして、集積紙幣７０が第二段目の紙幣支持手段を構成する紙幣支持部材によって支持されなくなると、集積紙幣７０は、第三段目の紙幣支持手段を構成する紙幣支持部材上に落下し、第二の紙幣支持部材列１２の一対の紙幣支持部材１２ｂ、１２ｂ、第三の紙幣支持部材列１３の紙幣支持部材１３ｃ、第四の紙幣支持部材列１４の一対の紙幣支持部材１４ｂおよび１４ｂ、第五の紙幣支持部材列１５の紙幣支持部材１５ｃに当接し、これらによって支持される。
【００９９】
紙幣押圧部材５の自重によって、集積紙幣７０がさらに下降すると、第三段目の紙幣支持手段を構成する紙幣支持部材はいずれも、可撓性を有するポリエチレンテレフタレート製のシートによって形成されているため、集積紙幣７０の下降にしたがって、下方に変形する。
【０１００】
その結果、第二の紙幣支持部材列１２の一対の紙幣支持部材１２ｂ、１２ｂ、第三の紙幣支持部材列１３の紙幣支持部材１３ｃ、第四の紙幣支持部材列１４の一対の紙幣支持部材１４ｂおよび１４ｂならびに第五の紙幣支持部材列１５の紙幣支持部材１５ｃが集積紙幣７０を支持することができなくなって、集積紙幣７０から離間し、第二の紙幣支持部材列１２の一対の紙幣支持部材１２ｂ、１２ｂ、第三の紙幣支持部材列１３の紙幣支持部材１３ｃ、第四の紙幣支持部材列１４の一対の紙幣支持部材１４ｂおよび１４ｂならびに第五の紙幣支持部材列１５の紙幣支持部材１５ｃは、元の略水平状態に復帰し、集積紙幣７０は、第四段目の紙幣支持手段を構成する紙幣支持部材上に落下し、第二の紙幣支持部材列１２の一対の紙幣支持部材１２ｃ、１２ｃ、第三の紙幣支持部材列１３の紙幣支持部材１３ｄ、第四の紙幣支持部材列１４の一対の紙幣支持部材１４ｃおよび１４ｃ、第五の紙幣支持部材列１５の紙幣支持部材１５ｄならびに第六の紙幣支持部材列１６の一対の紙幣支持部材１６ｃ、１６ｃに当接し、これらの紙幣支持手段によって支持される。
【０１０１】
紙幣押圧部材５の自重によって、集積紙幣７０がさらに下降すると、第四段目の紙幣支持手段を構成する紙幣支持部材はいずれも、可撓性を有するポリエチレンテレフタレート製のシートによって形成されているため、集積紙幣７０の下降にしたがって、下方に変形する。
【０１０２】
その結果、第二の紙幣支持部材列１２の一対の紙幣支持部材１２ｃ、１２ｃ、第三の紙幣支持部材列１３の紙幣支持部材１３ｄ、第四の紙幣支持部材列１４の一対の紙幣支持部材１４ｃおよび１４ｃ、第五の紙幣支持部材列１５の紙幣支持部材１５ｄならびに第六の紙幣支持部材列１６の一対の紙幣支持部材１６ｃ、１６ｃが、集積紙幣７０から離れると、集積紙幣７０は、紙幣収納ボックス１の底板１ｂ上に集積される。
【０１０３】
こうして、紙幣一時集積部７内に集積された集積紙幣７０が紙幣収納ボックス１内に収納されると、コントロールユニット５０は、紙幣押圧部材復帰手段４２に駆動信号を出力して、紙幣押圧部材５を元の位置に引き上げて、係合部材と係合させる。
【０１０４】
次いで、コントロールユニット５０はシャッタソレノイド４０に駆動信号を出力して、シャッタ６を閉じさせる。
【０１０５】
以上のようにして、紙幣一時集積部７内に集積された集積紙幣７０を、次々に、紙幣収納ボックス１内に収納した結果、発光素子３１から発せられた光を、受光素子３２が受光しなくなって、所定の時間が経過し、シャッタセンサ３０から、所定の時間にわたって集積紙幣検出信号が入力し続けているときは、いずれかの紙幣収納ボックス１内に収納された集積紙幣７０によって、センサ開口部２０が閉じられており、シャッタ６を閉じると、集積紙幣７０の最上部近傍に位置する紙幣を挟み込むおそれがあるから、コントロールユニット５０は、紙幣収納装置を停止させるとともに、ディスプレイパネル６０に、紙幣収納ボックス１のいずれかに限界以上の紙幣が収納されている旨のメッセージを表示する。
【０１０６】
本実施態様にかかる紙幣収納装置においては、集積紙幣７０が、紙幣押圧部材５の自重によって下方に押圧され、可撓性を有するポリエチレンテレフタレート製のシートによって形成された紙幣支持部材を変形させつつ、第一段目の紙幣支持手段を構成する紙幣支持部材１１ａ、１３ａ、１５ａ、１７ａから第二段目の紙幣支持手段を構成する紙幣支持部材１２ａ、１２ａ、１３ｂ、１４ａ、１４ａ、１５ｂ、１６ａ、１６ａに、第二段目の紙幣支持手段を構成する紙幣支持部材１２ａ、１２ａ、１３ｂ、１４ａ、１４ａ、１５ｂ、１６ａ、１６ａから第三段目の紙幣支持手段を構成する紙幣支持部材１２ｂ、１２ｂ、１３ｃ、１４ｂ、１４ｂ、１５ｃ、１６ｂ、１６ｂに、第三段目の紙幣支持手段を構成する紙幣支持部材１２ｂ、１２ｂ、１３ｃ、１４ｂ、１４ｂ、１５ｃ、１６ｂ、１６ｂから第四段目の紙幣支持手段を構成する紙幣支持部材１２ｃ、１３ｄ、１４ｃ、１４ｃ、１５ｄ、１６ｃ、１６ｃに、次々に受け渡されて、紙幣収納ボックス１内に収納されるように構成されているから、集積紙幣７０がＮ段目の紙幣支持手段を構成する紙幣支持部材から（Ｎ＋１）段目の紙幣支持手段を構成する紙幣支持部材（ここに、Ｎは１、２または３である）に受け渡される際に、Ｎ段目の紙幣支持手段を構成する紙幣支持部材から集積紙幣７０に上向きの力が加わり、その結果、集積紙幣７０がＮ段目の紙幣支持手段を構成する紙幣支持部材から（Ｎ＋１）段目の紙幣支持手段を構成する紙幣支持部材に受け渡される際に、Ｎ段目の紙幣支持手段を構成する紙幣支持部材によって、集積紙幣７０が跳ね上げられて、集積紙幣７０がＮ段目の紙幣支持手段を構成する紙幣支持部材の上方に戻されるおそれがある。
【０１０７】
したがって、本実施態様にかかる紙幣収納装置においては、センサ開口部２０が、第一段目の紙幣支持手段を構成する紙幣支持部材１１ａ、１３ａ、１５ａ、１７ａと、第二段目の紙幣支持手段を構成する紙幣支持部材１２ａ、１２ａ、１３ｂ、１４ａ、１４ａ、１５ｂ、１６ａ、１６ａとの間の内壁１ａに形成されているから、集積紙幣７０が第二段目の紙幣支持手段を構成する紙幣支持部材１２ａ、１２ａ、１３ｂ、１４ａ、１４ａ、１５ｂ、１６ａ、１６ａから、第三段目の紙幣支持手段を構成する紙幣支持部材１２ｂ、１２ｂ、１３ｃ、１４ｂ、１４ｂ、１５ｃ、１６ｂ、１６ｂに受け渡される際に、第二段目の紙幣支持手段を構成する紙幣支持部材によって、集積紙幣７０が上方に跳ね上げられて、第二段目の紙幣支持手段を構成する紙幣支持部材の上方に戻され、シャッタセンサ３０により集積紙幣７０が検出されて、集積硬貨検出信号がコントロールユニット５０に出力され、その紙幣収納ボックス１内に、さらに集積紙幣７０を収納することが可能であるにもかかわらず、コントロールユニット５０が誤って、いずれかの紙幣収納ボックス１のシャッタ６を閉じると、集積紙幣の最上部近傍に位置する紙幣を挟み込むおそれがあると判定する場合があり得るが、本実施態様においては、第二段目の紙幣支持手段を構成する紙幣支持部材１２ａ、１２ａ、１３ｂ、１４ａ、１４ａ、１５ｂ、１６ａ、１６ａのうち、紙幣支持部材１３ｂおよび紙幣支持部材１５ｂの長さが、他の第二段目の紙幣支持手段を構成する紙幣支持部材１２ａ、１２ａ、１４ａ、１４ａ、１６ａ、１６ａの長さよりも短く設定されているから、集積紙幣７０の下降にともなって、まず、紙幣支持部材１３ｂ、１５ｂが集積紙幣７０から離れて、元の略水平状態に復帰し、したがって、第二段目の紙幣支持手段を構成する他の紙幣支持部材１２ａ、１２ａ、紙幣支持部材１４ａ、１４ａ、紙幣支持部材１６ａ、１６ａが集積紙幣７０から離れる際に、集積紙幣７０に上向きの力が加わって、集積紙幣７０が跳ね上げられたとしても、略水平状態に復帰している紙幣支持部材１３ｂ、１５ｂによってブロックされ、集積紙幣７０が第二段目の紙幣支持手段を構成する紙幣支持部材１２ａ、１２ａ、紙幣支持部材１３ｂ、紙幣支持部材１４ａ、１４ａ、紙幣支持部材１５ｂ、紙幣支持部材１６ａ、１６ａの上方に跳ね上げられることが確実に防止されるから、シャッタ６を閉じても、集積紙幣７０の最上部近傍に位置する紙幣を挟み込むおそれはないにもかかわらず、コントロールユニット５０によって、紙幣収納装置が停止されて、紙幣の収納効率が低下することを確実に防止することが可能になる。
【０１０８】
一方、シャッタセンサ３０から集積紙幣検出信号が出力される前に、キーボード２５に出金信号が入力され、紙幣収納ボックス１のいずれかから、紙幣を出金するときは、コントロールユニット５０は、繰り出しローラ駆動手段４３に駆動信号を出力して、対応する紙幣収納ボックス１の繰り出しローラ９を駆動する。
【０１０９】
その結果、繰り出し開口部８近傍の底板１ｂに形成された開口部（図示せず）を介して、紙幣収納ボックス１に収納されている集積紙幣７０の最下の紙幣に当接している複数の繰り出しローラ９が回転されて、集積紙幣７０の最下の紙幣が紙幣通路（図示せず）に繰り出される。
【０１１０】
本実施態様によれば、単に、紙幣収納ボックス１の内壁１ａに、可撓性を有するポリエチレンテレフタレート製のシートによって形成された紙幣支持部材１１ａ、１３ａ、１５ａ、１７ａを備えた第一段目の紙幣支持手段と、可撓性を有するポリエチレンテレフタレート製のシートによって形成された紙幣支持部材１２ａ、１２ａ、１３ｂ、１４ａ、１４ａ、１５ｂ、１６ａ、１６ａを備えた第二段目の紙幣支持手段と、可撓性を有するポリエチレンテレフタレート製のシートによって形成された紙幣支持部材１２ｂ、１２ｂ、１３ｃ、１４ｂ、１４ｂ、１５ｃ、１６ｂ、１６ｂを備えた第三段目の紙幣支持部材と、可撓性を有するポリエチレンテレフタレート製のシートによって形成された紙幣支持部材１２ｃ、１２ｃ、１３ｄ、１４ｃ、１４ｃ、１５ｄ、１６ｃ、１６ｃを備えた第四段目の紙幣支持部材を設けるだけで、集積紙幣７０を、各紙幣収納ボックス１の底板１ｂ上に所望のように集積することができ、フラッパを駆動する駆動機構などを設ける必要がない。したがって、低コストで製造することができ、紙幣収納ボックス１内に、集積紙幣７０を所望のように集積することができる紙幣収納装置を提供することが可能になる。
【０１１１】
また、上下方向に複数の異なった高さレベルに設けられた紙幣支持手段に属する可撓性を有する紙幣支持部材を、集積紙幣７０によって押圧して、変形させ、順次、集積紙幣７０を下方に位置する紙幣支持手段に属する可撓性を有する紙幣支持部材に受け渡して、紙幣収納ボックス１の底板１ｂ上に、集積紙幣７０を集積する場合には、集積紙幣７０を下方に位置する紙幣支持手段に属する可撓性を有する紙幣支持部材に受け渡すために、可撓性を有する紙幣支持部材が集積紙幣７０から離れる際に、集積紙幣７０に上向きの力が加わって、集積紙幣７０が上方に跳ね上げられ、集積紙幣７０から離間した可撓性を有する紙幣支持部材の上方に戻され、検出されるべきではない紙幣がシャッタセンサ３０によって検出され、紙幣収納装置が誤作動をおこすおそれがある。したがって、本実施態様においては、センサ開口部２０が、紙幣収納ボックス１の内壁１ａに設けられた第一段目の紙幣支持手段に属する紙幣支持部材１１ａ、１３ａ、１５ａ、１７ａと、第二段目の紙幣支持手段に属する紙幣支持部材１２ａ、１２ａ、１３ｂ、１４ａ、１４ａ、１５ｂ、１６ａ、１６ａとの間に設けられ、シャッタセンサ３０が、第一段目の紙幣支持手段に属する紙幣支持部材１１ａ、１３ａ、１５ａ、１７ａと、第二段目の紙幣支持手段に属する紙幣支持部材１２ａ、１２ａ、１３ｂ、１４ａ、１４ａ、１５ｂ、１６ａ、１６ａとの間に紙幣が存在しているか否かを検出しているので、第二段目の紙幣支持手段に属する紙幣支持部材１２ａ、１２ａ、１３ｂ、１４ａ、１４ａ、１５ｂ、１６ａ、１６ａが集積紙幣７０から離れる際に、第二段目の紙幣支持手段に属する紙幣支持部材１２ａ、１２ａ、１３ｂ、１４ａ、１４ａ、１５ｂ、１６ａ、１６ａから集積紙幣７０に上向きの力が加わって、集積紙幣７０が跳ね上げられ、第二段目の紙幣支持手段に属する紙幣支持部材１２ａ、１２ａ、１３ｂ、１４ａ、１４ａ、１５ｂ、１６ａ、１６ａの上方に戻されるおそれがある。しかしながら、本実施態様においては、第二段目の紙幣支持手段に属する紙幣支持部材１３ｂ、１５ｂの長さが、第二段目の紙幣支持手段に属する他の紙幣支持部材１２ａ、１２ａ、１４ａ、１４ａ、１６ａ、１６ａの長さよりも短く設定されているため、集積紙幣７０が下降するのにともなって、第二段目の紙幣支持手段に属する紙幣支持部材のうち、まず、紙幣支持部材１３ｂ、１５ｂが集積紙幣７０から離れて、略水平状態に復帰し、次いで、残りの第二段目の紙幣支持手段に属する紙幣支持部材１２ａ、１２ａ、１４ａ、１４ａ、１６ａ、１６ａが集積紙幣７０から離れるから、紙幣支持部材１２ａ、１２ａ、１４ａ、１４ａ、１６ａ、１６ａが集積紙幣７０から離れる際に、集積紙幣７０に上向きの力が加わって、集積紙幣７０が跳ね上げられた場合にも、集積紙幣７０は、略水平状態に復帰している紙幣支持部材１３ｂ、１５ｂによってブロックされるから、集積紙幣７０が紙幣支持部材１３ｂ、１５ｂよりも上方に、跳ね上げられることを確実に防止することができる。
【０１１２】
本発明は、以上の実施態様に限定されることなく、特許請求の範囲に記載された発明の範囲内で種々の変更が可能であり、それらも本発明の範囲内に包含されるものであることはいうまでもない。
【０１１３】
たとえば、前記実施態様においては、紙幣支持部材１１ａ、１２ａ、１２ａ、１２ｂ、１２ｂ、１２ｃ、１２ｃ、１３ａ、１３ｂ、１３ｃ、１３ｄ、１４ａ、１４ａ、１４ｂ、１４ｂ、１４ｃ、１４ｃ、１５ａ、１５ｂ、１５ｃ、１５ｄ、１６ａ、１６ａ、１６ｂ、１６ｂ、１６ｃ、１６ｃ、１７ａはいずれも、可撓性を有するポリエチレンテレフタレート製のシートによって形成されているが、これらの紙幣支持部材をポリエチレンテレフタレート製のシートによって形成することは必ずしも必要でなく、適度な弾性を有するシートであれば、他の合成樹脂シートや金属製のシートによって、これらの紙幣支持部材を形成することもできる。
【０１１４】
さらに、前記実施態様においては、第一段目の紙幣支持手段を構成する第一の紙幣支持部材列１１の紙幣支持部材１１ａおよび第七の紙幣支持部材列１７の紙幣支持部材１７ａの長さが、第一段目の紙幣支持手段を構成するその他の紙幣支持部材である第三の紙幣支持部材列１３の紙幣支持部材１３ａおよび第五の紙幣支持部材列１５の紙幣支持部材１５ａの長さよりも短くなるように設定し、第三の紙幣支持部材列１３の紙幣支持部材１３ａおよび第五の紙幣支持部材列１５の紙幣支持部材１５ａが集積紙幣７０から離間するときに、第三の紙幣支持部材列１３の紙幣支持部材１３ａおよび第五の紙幣支持部材列１５の紙幣支持部材１５ａから集積紙幣７０に加えられる上向きの力により、集積紙幣７０が第一段目の紙幣支持手段の上方に戻ることを防止しているが、前記実施態様においては、シャッタセンサ３０は、第一段目の紙幣支持手段を構成する紙幣支持部材と第二段目の紙幣支持手段を構成する紙幣支持部材との間に、紙幣が存在しているか否かを検出するように構成されているから、第一の紙幣支持部材列１１の紙幣支持部材１１ａおよび第七の紙幣支持部材列１７の紙幣支持部材１７ａの長さを、第三の紙幣支持部材列１３の紙幣支持部材１３ａおよび第五の紙幣支持部材列１５の紙幣支持部材１５ａの長さよりも短くなるように設定することは必ずしも必要でない。
【０１１５】
また、前記実施態様においては、シャッタ６が、Ｌ字状の断面形状を有し、下方に延びる先端部を有する一対のシャッタ部材６ａ、６ｂによって構成され、センサ開口部２０が、第一段目の紙幣支持手段を構成する紙幣支持部材１１ａ、１３ａ、１５ａ、１７ａと、第二段目の紙幣支持手段を構成する紙幣支持部材１２ａ、１２ａ、１３ｂ、１４ａ、１４ａ、１５ｂ、１６ａ、１６ａとの間の紙幣収納ボックス１の内壁１ａに形成されているが、シャッタ６を構成する一対のシャッタ部材６ａ、６ｂがＬ字状の断面形状を有し、下方に延びる先端部を有していることは必ずしも必要でなく、平板状をなした一対のシャッタ部材６ａ、６ｂによって、シャッタ６を構成することもできる。上述のように、前記実施態様において、センサ開口部２０が、第一段目の紙幣支持手段を構成する紙幣支持部材１１ａ、１３ａ、１５ａ、１７ａと、第二段目の紙幣支持手段を構成する紙幣支持部材１２ａ、１２ａ、１３ｂ、１４ａ、１４ａ、１５ｂ、１６ａ、１６ａとの間の紙幣収納ボックス１の内壁１ａに形成されているのは、センサ開口部２０を第一段目の紙幣支持手段を構成する紙幣支持部材１１ａ、１３ａ、１５ａ、１７ａの上方の紙幣収納ボックス１の内壁１ａに形成すると、Ｌ字状の断面形状を有し、下方に延びる先端部を有しているシャッタ部材６ａ、６ｂによって、発光素子３１から発せられた光が遮光され、コントロールユニット５０が誤作動を起こすおそれが高いからであり、したがって、平板状をなした一対のシャッタ部材６ａ、６ｂによって、シャッタ６を構成する場合には、センサ開口部２０を、第一段目の紙幣支持手段を構成する紙幣支持部材１１ａ、１３ａ、１５ａ、１７ａと、第二段目の紙幣支持手段を構成する紙幣支持部材１２ａ、１２ａ、１３ｂ、１４ａ、１４ａ、１５ｂ、１６ａ、１６ａとの間の紙幣収納ボックス１の内壁１ａに形成する必要はなく、第一段目の紙幣支持手段を構成する紙幣支持部材１１ａ、１３ａ、１５ａ、１７ａの上方の紙幣収納ボックス１の内壁１ａに形成することもできる。
【０１１６】
さらに、前記実施態様においては、第二の紙幣支持部材列１２の一対の紙幣支持部材１２ｂ、１２ｂは、第二段目の紙幣支持手段を構成する紙幣支持部材１２ａ、１２ａから、紙幣支持部材１２ａ、１２ａの長さに等しい距離だけ、下方に離間して設けられて、第三段目の紙幣支持手段を構成し、第二の紙幣支持部材列１２の一対の紙幣支持部材１２ｃ、１２ｃは、第三段目の紙幣支持手段を構成する紙幣支持部材１２ｂ、１２ｂから、紙幣支持部材１２ｂ、１２ｂの長さに等しい距離だけ、下方に離間して設けられて、第四段目の紙幣支持手段を構成し、第三の紙幣支持部材列１３の紙幣支持部材１３ｃは、第二段目の紙幣支持手段を構成する一対の紙幣支持部材１２ａ、１２ａから、紙幣支持部材１２ａの長さに等しい距離だけ、下方に離間して設けられて、第三段目の紙幣支持手段を構成し、第三の紙幣支持部材列１３の紙幣支持部材１３ｄは、第三段目の紙幣支持手段を構成する紙幣支持部材１３ｃから、紙幣支持部材１３ｃの長さに等しい距離だけ、下方に離間して設けられて、第四段目の紙幣支持手段を構成し、第四の紙幣支持部材列１４の一対の紙幣支持部材１４ｂおよび１４ｂは、一対の紙幣支持部材１４ａ、１４ａから、紙幣支持部材１４ａ、１４ａの長さに等しい距離だけ、下方に離間して設けられて、第三段目の紙幣支持手段を構成し、第四の紙幣支持部材列１４の一対の紙幣支持部材１４ｃ、１４ｃは、一対の紙幣支持部材１４ｂ、１４ｂから、紙幣支持部材１４ｂ、１４ｂの長さに等しい距離だけ、下方に離間して設けられて、第四段目の紙幣支持手段を構成し、第五の紙幣支持部材列１５の紙幣支持部材１５ｃは、第二段目の紙幣支持手段を構成する紙幣支持部材１２ｂ、１２ｂから、紙幣支持部材１２ｂ、１２ｂの長さに等しい距離だけ、下方に離間して設けられて、第三段目の紙幣支持手段を構成し、第五の紙幣支持部材列１５の紙幣支持部材１５ｄは、第三段目の紙幣支持手段を構成する紙幣支持部材１５ｃから、紙幣支持部材１５ｃの長さに等しい距離だけ、下方に離間して設けられて、第四段目の紙幣支持手段を構成し、第六の紙幣支持部材列１６の一対の紙幣支持部材１６ｂ、１６ｂは、第二段目の紙幣支持手段を構成する紙幣支持部材１６ａ、１６ａから、紙幣支持部材１６ａ、１６ａの長さに等しい距離だけ、下方に離間して設けられて、第三段目の紙幣支持手段を構成し、第六の紙幣支持部材列１６の一対の紙幣支持部材１６ｃ、１６ｃは、第三段目の紙幣支持手段を構成する紙幣支持部材１６ｂ、１６ｂから、紙幣支持部材１６ｂ、１６ｂの長さに等しい距離だけ、下方に離間して設けられて、第四段目の紙幣支持手段を構成している。しかしながら、第三段目の紙幣支持手段を構成する紙幣支持部材１２ｂ、１２ｂ、１３ｃ、１４ｂ、１４ｂ、１５ｃ、１６ｂ、１６ｂが、第二段目の紙幣支持手段を構成する紙幣支持部材１２ａ、１２ａ、１３ｂ、１４ａ、１４ａ、１５ｂ、１６ａ、１６ａから、紙幣支持部材１２ａ、１２ａ、１４ａ、１４ａ、１６ａ、１６ａの長さに等しい距離だけ、下方の紙幣収納ボックス１の内壁１ａに設けられ、第四段目の紙幣支持手段を構成する紙幣支持部材１２ｃ、１２ｃ、１３ｄ、１４ｃ、１４ｃ、１５ｄ、１６ｃ、１６ｃが、第三段目の紙幣支持手段を構成する紙幣支持部材１２ｂ、１２ｂ、１３ｃ、１４ｂ、１４ｂ、１５ｃ、１６ｂ、１６ｂから、紙幣支持部材１２ｂ、１２ｂ、１３ｃ、１４ｂ、１４ｂ、１５ｃ、１６ｂ、１６ｂの長さに等しい距離だけ、下方の紙幣収納ボックス１の内壁１ａに設けられていることは必ずしも必要でなく、第二段目の紙幣支持手段を構成する紙幣支持部材１２ａ、１２ａ、１３ｂ、１４ａ、１４ａ、１５ｂ、１６ａ、１６ａが、集積紙幣７０から離間して、集積紙幣７０が第三段目の紙幣支持手段を構成する紙幣支持部材１２ｂ、１２ｂ、１３ｃ、１４ｂ、１４ｂ、１５ｃ、１６ｂ、１６ｂ上に自由落下したときに、集積紙幣７０の集積状態を乱されるおそれがない距離以下の位置に、第三段目の紙幣支持手段を構成する紙幣支持部材１２ｂ、１２ｂ、１３ｃ、１４ｂ、１４ｂ、１５ｃ、１６ｂ、１６ｂが設けられていればよく、第三段目の紙幣支持手段を構成する紙幣支持部材１２ｂ、１２ｂ、１３ｃ、１４ｂ、１４ｂ、１５ｃ、１６ｂ、１６ｂが、集積紙幣７０から離間して、集積紙幣７０が第四段目の紙幣支持手段を構成する紙幣支持部材１２ｃ、１２ｃ、１３ｄ、１４ｃ、１４ｃ、１５ｄ、１６ｃ、１６ｃ上に自由落下したときに、集積紙幣７０の集積状態が乱されるおそれがない距離以下の位置に、第四段目の紙幣支持手段を構成する紙幣支持部材１２ｃ、１２ｃ、１３ｄ、１４ｃ、１４ｃ、１５ｄ、１６ｃ、１６ｃが設けられていればよい。
【０１１７】
また、前記実施態様においては、各紙幣収納ボックス１の内壁１ａには、上下方向に、第一段目の紙幣支持手段を構成する紙幣支持部材１１ａ、１３ａ、１５ａ、１７ａ、第二段目の紙幣支持手段を構成する紙幣支持部材１２ａ、１２ａ、１３ｂ、１４ａ、１４ａ、１５ｂ、１６ａ、１６ａ、第三段目の紙幣支持手段を構成する紙幣支持部材１２ｂ、１２ｂ、１３ｃ、１４ｂ、１４ｂ、１５ｃ、１６ｂ、１６ｂならびに第四段目の紙幣支持手段を構成する紙幣支持部材１２ｃ、１２ｃ、１３ｄ、１４ｃ、１４ｃ、１５ｄ、１６ｃ、１６ｃが設けられ、合計で四段の高さレベルが異なる紙幣支持手段が各紙幣収納ボックス１の内壁１ａに設けられているが、各紙幣収納ボックス１の内壁１ａに、四段の高さレベルが異なる紙幣支持手段を設けることは必ずしも必要でなく、少なくとも二段の紙幣支持手段が設けられていればよい。
【０１１８】
さらに、前記実施態様においては、紙幣収納ボックス１の内壁１ａには、第一の紙幣支持部材列１１、第二の紙幣支持部材列１２、第三の紙幣支持部材列１３、第四の紙幣支持部材列１４、第五の紙幣支持部材列１５、第六の紙幣支持部材列１６および第七の紙幣支持部材列１７が設けられ、合計で７列の紙幣支持部材列が設けられているが、紙幣収納ボックス１の内壁１ａに７列の紙幣支持部材列を設けることは必ずしも必要でなく、任意の数の紙幣支持部材列を設けることができる。
【０１１９】
また、前記実施態様においては、各紙幣支持部材は、その基端部が紙幣収納ボックス１の外部に位置する一対の板状部材によって、片持ち梁状に挟持されており、一対の板状部材の先端部を支点として、変形するように構成されているが、各紙幣支持部材を、紙幣収納ボックス１の内壁１ａに、片持ち梁状に固定するようにしてもよい。
【０１２０】
さらに、前記実施態様においては、紙幣一時集積部７内に、紙幣を集積するときは、紙幣押圧部材５が、係合部材（図示しない）に係合されて、シャッタ６の面に対して斜めの退避位置に位置しているが、紙幣一時集積部７内に、紙幣を集積するときは、紙幣押圧部材５が、シャッタ６の面に対して斜めの退避位置に位置していることは必ずしも必要でなく、紙幣押圧部材５とシャッタ６との間に、紙幣を集積可能な紙幣一時集積部７が形成されていればよく、紙幣押圧部材５が略水平状態で退避するように構成することもできる。
【０１２１】
また、前記実施態様においては、紙幣押圧部材５は自重によって、各紙幣収納ボック１の底板１ｂに向けて、集積紙幣７０を押圧しているが、紙幣押圧部材５を各紙幣収納ボック１の底板１ｂに向けて、強制的に移動させる駆動機構を設け、各紙幣収納ボック１の底板１ｂに向けて、集積紙幣７０を押圧するように構成することもできる。
【０１２２】
さらに、前記実施態様においては、紙幣収納装置は、単一の発光素子３１と受光素子３２を備え、発光素子３１から発せられる光の光軸が、各紙幣収納ボックス１に設けられたセンサ開口部２０を貫通しており、したがって、いずれかの紙幣収納ボックス１において、紙幣が、センサ開口部２０を通る光を所定の時間にわたって遮ると、他の紙幣収納ボックス１内に、さらに紙幣を収納可能なスペースが残っていても、紙幣収納装置の作動を停止させる必要があるが、紙幣収納ボックス１ごとに、発光素子３１と受光素子３２を設け、紙幣収納ボックス１ごとに、紙幣によって、センサ開口部２０を通る光が、所定の時間にわたって遮られているか否かを判定し、紙幣によって、センサ開口部２０を通る光が、所定の時間にわたって遮られていると判定された紙幣収納ボックス１のみの作動を停止させるようにすることもできる。
【０１２３】
また、前記実施態様においては、紙幣収納装置は複数の紙幣収納ボックス１を備えているが、紙幣収納装置が複数の紙幣収納ボックス１を備えていることは必ずしも必要でなく、紙幣収納装置が単一の紙幣収納ボックス１を備えていてもよい。
【符号の説明】
【０１２４】
１  紙幣収納ボックス
１ａ  紙幣収納ボックスの内壁
１ｂ  紙幣収納ボックスの底板
５  紙幣押圧部材
６  シャッタ
６ａ、６ｂ  シャッタ部材
７  紙幣一時集積部
８  繰り出し開口部
９  繰り出しローラ
１１  第一の紙幣支持部材列
１１ａ  紙幣支持部材
１２  第二の紙幣支持部材列
１２ａ、１２ｂ、１２ｃ  紙幣支持部材
１３  第三の紙幣支持部材列
１３ａ、１３ｂ、１３ｃ、１３ｄ  紙幣支持部材
１４  第四の紙幣支持部材列
１４ａ、１４ｂ、１４ｃ  紙幣支持部材
１５  第五の紙幣支持部材列
１５ａ、１５ｂ、１５ｃ、１５ｄ  紙幣支持部材
１６  第六の紙幣支持部材列
１６ａ、１６ｂ、１６ｃ  紙幣支持部材
１７  第七の紙幣支持部材列
１７ａ  紙幣支持部材
２０  センサ開口部
２５  キーボード
３０  シャッタセンサ
３１  発光素子
３２  受光素子
４０  シャッタソレノイド
４１  紙幣押圧部材作動手段
４２  紙幣押圧部材復帰手段
４３  繰り出しローラ駆動手段
５０  コントロールユニット
６０  ディスプレイパネル
【図１】
0005538083.tif 000002
【図２】
0005538083.tif 000003
【図３】
0005538083.tif 000004
【図４】
0005538083.tif 000005
【図５】
0005538083.tif 000006
【図６】
0005538083.tif 000007